(57)【要約】【課題】ドキュメントの１または複数の部分を選択的に隠すように編集するシステムおよび方法を提供する。【解決手段】有形のドキュメントが画像走査され、電子画像データが生成される。この電子画像データにしたがって、タッチスクリーン上に有形のドキュメントに対応する画像が表示される。選択された編集対象領域の第１の周辺位置に対応するタッチスクリーンの第１の位置と、選択された編集対象領域の第２の周辺位置に対応するタッチスクリーンの第２の位置への接触入力が、受け取られる。次に、受け取られた第１の位置と第２の位置への接触入力に基づいて編集対象領域が特定され、選択された編集対象領域内のコンテンツに対応する画像データ部分が不明瞭化される。タッチスクリーンの表示は、選択された編集対象領域内のコンテンツが隠された状態に更新され、選択された編集対象領域内の不明瞭化された画像データを含む画像データが記憶装置に保存される。【選択図】図９
2010040048.tif 000002
【特許請求の範囲】
【請求項１】
有形のドキュメントを画像走査し、対応する電子画像データを生成するスキャナと、
このスキャナで生成された前記電子画像データを保存する記憶手段と、
前記スキャナで生成された前記電子画像データに対応する画像を表示するタッチスクリーン・ディスプレイと、
このタッチスクリーン・ディスプレイに表示された画像内の第１の位置と第２の位置へのユーザの接触を特定し、特定した第１および第２の位置にしたがって編集対象領域を定め、編集対象領域内の画像を不明瞭化する画像不明瞭化手段と、
この手段によって不明瞭化された編集対象領域内の画像を含む編集済みの画像を印刷するプリンタとを備え、
前記記憶手段は、前記編集済みの画像に対応する画像データを保存することを特徴とするドキュメントを選択的に編集するシステム。
【請求項２】
前記画像不明瞭化手段は、さらに、前記タッチスクリーン・ディスプレイに表示された前記画像内の第３の位置と第４の位置へのユーザの接触を特定し、特定した第３および第４の位置にしたがって第２の編集対象領域を定め、第２の編集対象領域内の画像を不明瞭化し、
前記記憶手段は、不明瞭化された前記第２の編集対象領域内の画像を含む編集済みの画像に対応する画像データを、さらに、保存することを特徴とする請求項１に記載のドキュメントを選択的に編集するシステム。
【請求項３】
有形のドキュメントを画像走査し、対応する電子画像データを生成するステップと、
生成された前記電子画像データにしたがってタッチスクリーン上に前記有形のドキュメントに対応する画像を表示するステップと、
選択された編集対象領域の第１の周辺位置に対応する前記タッチスクリーンの第１の位置への接触入力を受け取るステップと、
前記選択された編集対象領域の第２の周辺位置に対応する前記タッチスクリーンの第２の位置への接触入力を受け取るステップと、
前記第１の位置への接触入力と前記第２の位置への接触入力に基づいて前記編集対象領域を特定するステップと、
特定された前記選択された編集対象領域内のコンテンツに対応する画像データ部分を不明瞭化するステップと、
前記選択された編集対象領域内のコンテンツが隠された状態に前記タッチスクリーンの表示を更新するステップと、
前記選択された編集対象領域内の不明瞭化された画像データを含む画像データを記憶装置に保存するステップと
を含むことを特徴とするドキュメントを選択的に編集する方法。
【請求項４】
前記編集対象領域を特定するステップは、前記タッチスクリーンの前記第１の位置と第２の位置の間のドラッグ操作に応じて基づいて前記第１の位置と第２の位置とを検知し、検知した前記第１の位置と第２の位置とに基づいて前記編集対象領域を特定することを特徴とする請求項３に記載のドキュメントを選択的に編集する方法。
【請求項５】
前記選択された編集対象領域を、前記タッチスクリーンの前記第１の位置と第２の位置とによって規定される実質的に長方形の領域として形成するステップを、さらに、含むことを特徴とする請求項３または請求項４に記載のドキュメントを選択的に編集する方法。
【請求項６】
前記形成された長方形領域をドラッグ操作にしたがって変更するステップを、さらに、含むことを特徴とする請求項５に記載のドキュメントを選択的に編集する方法。
【請求項７】
第２の選択された編集対象領域の第１の周辺位置に対応する前記タッチスクリーンの第３の位置への接触入力を受け取るステップと、
前記第２の選択された編集対象領域の第２の周辺位置に対応する前記タッチスクリーンの第４の位置への接触入力を受け取るステップと、
前記第３の位置への接触入力と前記第４の位置への接触入力に基づいて前記第２の編集対象領域を特定するステップと、
特定された前記第２の選択された編集対象領域内のコンテンツに対応する画像データ部分を不明瞭化するステップと、
前記第２の選択された編集対象領域内のコンテンツが隠された状態に前記タッチスクリーンの表示を更新するステップと、
前記第２の選択された編集対象領域内の不明瞭化された画像データを含む画像データを前記記憶装置に追加保存するステップと
を、さらに、含むことを特徴とする請求項３に記載のドキュメントを選択的に編集する方法。
【請求項８】
有形のドキュメントを画像走査し、対応する電子画像データを生成する手段と、
生成された前記電子画像データにしたがってタッチスクリーン上に前記有形のドキュメントに対応する画像を表示する手段と、
選択された編集対象領域の第１の周辺位置に対応する前記タッチスクリーンの第１の位置への接触入力を受け取る手段と、
前記選択された編集対象領域の第２の周辺位置に対応する前記タッチスクリーンの第２の位置への接触入力を受け取る手段と、
前記第１の位置への接触入力と前記第２の位置への接触入力に基づいて前記編集対象領域を特定する手段と、
特定された前記選択された編集対象領域内のコンテンツに対応する画像データ部分を不明瞭化する手段と、
前記選択された編集対象領域内のコンテンツが隠された状態に前記タッチスクリーンの表示を更新する手段と、
前記選択された編集対象領域内の不明瞭化された画像データを含む画像データを保存する記憶手段と
を備えることを特徴とするドキュメントを選択的に編集するシステム。
【請求項９】
前記編集対象領域を特定する手段は、前記タッチスクリーンの前記第１の位置と第２の位置の間のドラッグ操作に応じて基づいて前記第１の位置と第２の位置とを検知し、検知した前記第１の位置と第２の位置とに基づいて前記編集対象領域を特定することを特徴とする請求項８に記載のドキュメントを選択的に編集するシステム。
【請求項１０】
前記選択された編集対象領域を、前記タッチスクリーンの前記第１の位置と第２の位置とによって規定される実質的に長方形の領域として形成する手段を、さらに、備えることを特徴とする請求項８または請求項９に記載のドキュメントを選択的に編集するシステム。
【請求項１１】
前記形成された長方形領域をドラッグ操作にしたがって変更する手段を、さらに、備えることを特徴とする請求項１０に記載のドキュメントを選択的に編集するシステム。
【請求項１２】
第２の選択された編集対象領域の第１の周辺位置に対応する前記タッチスクリーンの第３の位置への接触入力を受け取る手段と、
前記第２の選択された編集対象領域の第２の周辺位置に対応する前記タッチスクリーンの第４の位置への接触入力を受け取る手段と、
前記第３の位置への接触入力と前記第４の位置への接触入力に基づいて前記第２の編集対象領域を特定する手段と、
特定された前記第２の選択された編集対象領域内のコンテンツに対応する画像データ部分を不明瞭化する手段と、
前記第２の選択された編集対象領域内のコンテンツが隠された状態に前記タッチスクリーンの表示を更新する手段と、
前記第２の選択された編集対象領域内の不明瞭化された画像データを含む画像データを前記記憶手段に追加保存する手段と
を、さらに、備えることを特徴とする請求項８に記載のドキュメントを選択的に編集するシステム。
【発明の詳細な説明】
【技術分野】
【０００１】
本発明は、ドキュメントを編集するシステムおよび方法に関し、特に、ドキュメントの１または複数の部分を選択的に隠すように編集するシステムおよび方法に関する。
【背景技術】
【０００２】
有形のドキュメントをビットマップ画像データ等の電子ドキュメントへの変換が所望されることがしばしばある。この変換はスキャナを用いて行うことができる。コピー機は、画像走査機能を使用し、画像走査したドキュメントから有形出力を直ちに作成する機能を使用する。
【０００３】
ドキュメントの１または複数の部分を画像走査または複製から隠したい場合がある。例えば、クレジット・カード請求書を支払証明として複製したい場合がある。しかし、複製によって、支払証明には必要のない秘密情報が見える画像が生じる場合がある。したがって、ドキュメントの１または複数の部分を選択的に隠すシステムまたは方法が望まれている。
【発明の概要】
【発明が解決しようとする課題】
【０００４】
本発明は、上記のニーズに鑑みてなされたもので、ドキュメントの１または複数の部分を選択的に隠すように編集するシステムおよび方法を提供することを目的とする。
【課題を解決するための手段】
【０００５】
本発明の一実施形態によるドキュメントを選択的に編集するシステムおよび方法においては、有形のドキュメントが画像走査され、対応する電子画像データが生成される。生成された電子画像データにしたがって、タッチスクリーン上に、有形のドキュメントに対応する画像が表示される。次に、選択された編集対象領域（redaction boundary area）の第１の周辺位置（perimeter portion）に対応するタッチスクリーンの第１の位置と、選択された編集対象領域の第２の周辺位置に対応する前記タッチスクリーンの第２の位置への接触入力が受け取られる。次に、受け取られた第１の位置への接触入力と第２の位置への接触入力に基づき、編集対象領域を特定し、選択された編集対象領域内のコンテンツに対応する画像データ部分を不明瞭化（obfuscate）する。次いで、タッチスクリーンの表示が、選択された編集対象領域内のコンテンツが隠された状態に更新され、選択された編集対象領域内の不明瞭化された画像データを含む画像データが、記憶装置に保存される。
【発明の効果】
【０００６】
本発明によれば、ドキュメントの１または複数の部分を選択的に隠すように編集するシステムおよび方法が提供される。
【図面の簡単な説明】
【０００７】
【図１】本発明による実施形態が適用されるシステム全体の構成例である。
【図２】本発明による実施形態のシステムの動作が実行されるドキュメント処理装置のハードウェアの構成例である。
【図３】本発明による実施形態のシステムの動作が実行されるドキュメント処理装置の機能ブロックの構成例である。
【図４】本発明による実施形態のシステムの動作が実行されるコントローラのハードウェアの構成例を説明するための図である。
【図５】本発明による実施形態のシステムの動作が実行されるコントローラの機能ブロックの構成例を説明するための図である。
【図６】本発明による実施形態によるシステムのブロック図の一例である。
【図７】本発明による実施形態によるシステムの機能ブロック図の一例である。
【図８】本発明による実施形態によって入力ドキュメントから選択的に編集された出力ドキュメントが生成される処理例を説明するための図である。
【図９】本発明による実施形態におけるドキュメントを選択的に編集する基本的な動作例を表すフローチャートである。
【図１０】本発明による実施形態におけるドキュメントを選択的に編集する動作例を詳細に表したフローチャートである。
【発明を実施するための形態】
【０００８】
以下、適宜、図面を参照しながら本発明による実施形態の説明を行う。図１は本発明の実施形態によるドキュメントを選択的に編集するシステム全体の構成例を示す。図に示したシステム１００は、コンピュータ・ネットワーク１０２として表されている分散コンピューティング環境を利用して実施することができる。コンピュータ・ネットワーク１０２は、複数の電子装置間におけるデータの交換を可能とする本技術分野で知られている任意の分散通信システムである。コンピュータ・ネットワーク１０２は、例えば、仮想ローカル・エリア・ネットワーク、ワイド・エリア・ネットワーク、パーソナル・エリア・ネットワーク、ローカル・エリア・ネットワーク、インターネット、イントラネット、またはそれらの任意の組み合わせを含む本技術分野で知られている任意のコンピュータ・ネットワークである。本発明による一実施形態において、コンピュータ・ネットワーク１０２は、例えば、トークン・リング、IEEE802.11(x)、Ethernet（登録商標）またはその他の無線ベースまたは有線ベースのデータ通信メカニズム等の既存の多数のデータ転送メカニズムによって例示されるような物理レイヤおよびトランスポート・レイヤから構成される。図にはコンピュータ・ネットワーク１０２を示したが、本発明は、本技術分野で知られているスタンドアローンのシステムによっても、同様に実施可能である。
【０００９】
システム１００は、さらに、様々なドキュメント処理を実行するために適切な多機能周辺装置（Multi-Function Peripheral；以下、ＭＦＰということがある。）として図に表されている、ドキュメント処理装置１０４を含む。しかし、ＭＦＰはドキュメント処理装置の一形態であって、本発明におけるドキュメント処理装置がＭＦＰに限定されるものではない。ドキュメント処理装置における処理動作には、例えば、ファクシミリ通信、画像走査、コピー、印刷、電子メール、ドキュメント管理、およびドキュメント保管等の処理動作がある。本発明による一形態においては、ドキュメント処理装置１０４は、リモート・ドキュメント処理サービスを外部装置あるいはネットワークに接続された装置に対して提供する。ドキュメント処理装置１０４は、ユーザあるいはネットワークに接続された装置等とやり取りするように構成された、ハードウェア、ソフトウェアおよびこれらの任意の適切な組み合わせを含む。ドキュメント処理装置１０４の構成等については、後ほど図２と図３を参照しながら説明を行う。
【００１０】
また、本発明による一実施形態において、ドキュメント処理装置１０４は、例えば、IEEE 1394あるいはＵＳＢインターフェイスを有する各種ドライブ、または多様なＩＣメモリ・カード等の、複数のポータブル記憶媒体を受け入れるためのインターフェイスを備える。本発明の実施形態においては、ドキュメント処理装置１０４は、さらに、タッチスクリーン・インターフェイス、ＬＣＤ、タッチパネルまたは英数字キーパッド等のユーザ・インターフェイス１０６を備え、ユーザは、このようなユーザ・インターフェイスを介してドキュメント処理装置１０４と直接やり取りすることができる。ユーザ・インターフェイス１０６は、ユーザに対して情報を伝達するとともに、ユーザから選択内容を受け取るために有効に用いられる。ユーザ・インターフェイス１０６は、本技術分野で知られているように、ユーザにデータを提示するために適切な多様なコンポーネントを含む。本発明の一実施形態によれば、ユーザ・インターフェイス１０６は、１または複数のグラフィック要素、テキスト・データまたは画像等をユーザに表示し、ユーザから入力内容を受け取り、受け取った入力内容を、後ほど説明するコントローラ１０８等のバックエンド・コンポーネントに伝達するために適切なディスプレイを含む。ドキュメント処理装置１０４は、適切な通信リンク１１２を介して、コンピュータ・ネットワーク１０２に通信可能に接続されている。適切な通信リンク１１２としては、例えば、WiMax（Worldwide Interoperability for Microwave Access）、IEEE802.11a、IEEE802.11b、IEEE802.11g、IEEE802.11(x)、Bluetooth（登録商標）、公衆交換電話網、専用通信ネットワーク、赤外線接続、光接続、または本技術分野において知られている他の適切な有線または無線のデータ通信チャネルがある。
【００１１】
本発明による実施形態において、ドキュメント処理装置１０４は、さらに、コントローラ１０８として示した、ドキュメント処理装置１０４の処理動作を容易にする適切なバックエンド・コンポーネントを内蔵する。コントローラ１０８は、例えば、ドキュメント処理装置１０４の動作の制御、あるいはユーザ・インターフェイス１０６を介した画像の表示の制御、または電子画像データの操作の指示等の処理を容易にするように構成されたハードウェア、ソフトウェアあるいはこれらの適切な組み合わせによって実装される。以下の説明においては、コントローラ１０８という用語は、後述する動作を実行し、もしくは実行させ、もしくは制御し、または指示する働きをするハードウェア、ソフトウェアまたはこれらの組み合わせを含むドキュメント処理装置１０４に関連する任意の多数のコンポーネントの意味で使用する。尚、図および上記の説明において、コントローラ１０８をドキュメント処理装置１０４に内蔵された形態としたが、コントローラ１０８は、ドキュメント処理装置１０４に通信可能に接続された外部装置の形態であってもよい。コントローラ１０８との関連において説明を行う動作は、本技術分野において知られている任意の汎用的なコンピューティング・システムによって実行可能である。したがって、コントローラ１０８は、このような汎用的なコンピューティング装置を表しており、以下の説明において使用する際にも、そのように意図されている。また、以下の説明においてはコントローラ１０８を使用しているが、これは実施形態の例にすぎず、その他の実施形態においても、本発明によるドキュメントを選択的に編集するシステムおよび方法を利用することができる。コントローラ１０８の構成等については、後ほど図４と図５を参照しながら説明を行う。
【００１２】
また、ドキュメント処理装置１０４にはデータ記憶装置１１０が通信可能に接続されている。データ記憶装置１１０は、例えば、ハードディスク・ドライブ、その他の磁気記憶装置、光学式記憶装置、フラッシュ・メモリまたはこれらの任意の組み合わせを含む本技術分野で知られている大容量記憶装置である。一実施形態において、データ記憶装置１１０は、画像走査された画像データ、修整された画像データ、編集済みのデータ、ユーザ情報、携帯電話データ、プリセット支払データ、ドキュメント・データ、画像データまたは電子データベースのデータ等を保存するように適切に適合されている。データ記憶装置１１０は、図においてはシステム１００の独立したコンポーネントとして例示されているが、例えば、内蔵ハードディスク・ドライブ等のような、ドキュメント処理装置１０４の内部記憶装置、あるいはコントローラ１０８のコンポーネント等として実装することができる。本発明の一実施形態によれば、データ記憶装置１１０は、ドキュメント処理インストラクション、使用データ、ユーザ・インターフェイス・データ、ジョブ制御データ、コントローラの状態データ、コンポーネントの実行データ、画像、広告、ユーザ情報、ロケーション情報、出力テンプレート、マッピング・データ、マルチメディア・データ・ファイルおよびフォント等を保存することができる。
【００１３】
システム１００は、第１のドキュメント処理装置１０４および実質的にコンピュータ・ネットワーク１０２に通信可能に接続されたキオスク１１４を、さらに、含む。キオスク１１４は、図に示したようにドキュメント処理装置１０４の独立したコンポーネントとして実装することができ、または対応するドキュメント処理装置１０４と一体のコンポーネントとして実装することもできる。キオスク１１４を使用することは実施形態の単なる例であり、本発明は、キオスク１１４を使用することなしに実施することもできる。キオスク１１４は、例えば、表示装置１１６とユーザ入力装置１１８とを備える。キオスク１１４は、タッチスクリーン・インターフェイス等の、ユーザ入力装置と表示装置との機能を一体的に組み合わせた装置を備えることもできる。キオスク１１４は、例えば、ユーザに指示を表示し、ユーザからドキュメント処理インストラクション、支払データおよび選択データを受け取る等の機能を実行する。例えば、キオスク１１４は、クレジット・カード、クーポンまたはデビット・カード等から支払データを受け取り、読み込むために適切な磁気カード・リーダまたはバーコード・リーダ等を含む。
【００１４】
また、システム１００は、キオスク１１４に接続され、無数の異なるポータブル記憶装置を受け入れアクセスするために適合したポータブル記憶装置の読取り装置１２０を含む。ポータブル記憶装置としては、例えば、本技術分野で知られているような、フラッシュ・メモリ・ベースの多様なＩＣメモリ・カード、ＣＤ−ＲＯＭ、ＤＶＤ−ＲＯＭ、ＵＳＢインターフェイスを有するフラッシュ・メモリ・ドライブ、または他の磁気記憶装置または光学記憶装置等がある。
【００１５】
図１には、さらに、入力ドキュメント１２２と、編集された出力ドキュメント１２４を示す。図においては、入力ドキュメント１２２と出力ドキュメント１２４を、有形的な形態で示している。しかし、これらは電子的な形態であってもよい。例えば、入力ドキュメント１２２は、ユーザ装置１２６から伝達されてもよく、ドキュメント処理装置１０４のファクシミリ動作を介して受け取ってもよく、またはポータブル記憶装置から読み出されてもよい。入力ドキュメント１２２と出力ドキュメント１２４の例は、後ほど図８を参照しながら説明を行う。
【００１６】
システム１００は、通信リンク１２８を介してコンピュータ・ネットワーク１０２とデータ通信を行うユーザ装置１２６を、さらに、含む。図においてはユーザ装置１２６をデスクトップ形パーソナル・コンピュータとして示しているが、これは例示にすぎない。ユーザ装置１２６は、例えば、ノート形パーソナル・コンピュータ、コンピュータ・ワークステーション、携帯情報端末（personal digital assistant；ＰＤＡ）、ウェブ適合（web-enabled）携帯電話、スマート・フォン、専用通信ネットワーク用の電子装置またはその他のウェブ適合電子装置を含む本技術分野において知られている任意のパーソナル・コンピューティング装置を表す。通信リンク１２８は、例えば、Bluetooth（登録商標）、WiMax、IEEE802.11a、IEEE802.11b、IEEE802.11g、IEEE802.11(x)、専用通信ネットワーク、赤外線接続、光接続、公衆交換電話網、または本技術分野において知られている他の適切な有線または無線のデータ通信チャネルである。例えば、ユーザ装置１２６は、コンピュータ・ネットワーク１０２に接続されたドキュメント処理装置１０４または他の類似装置に関して、ドキュメント処理ジョブの監視、もしくはシン・クライアント・インターフェイスの使用、もしくは表示データの生成、もしくは出力データの生成等のために、編集されたドキュメント、状況データ、ジョブ・データ、ユーザ・インターフェイスのデータおよび画像データの少なくとも１つを受け取る。
【００１７】
次に、図２および図３を参照しながら、本発明による実施形態におけるシステムの動作が実行されるドキュメント処理装置のハードウェアおよび機能構成等を説明する。図２に本発明による実施形態においてシステム１００の動作が実行され、図１ではドキュメント処理装置１０４として表した、ドキュメント処理装置２００のハードウェア・アーキテクチャの構成例を示す。ドキュメント処理装置２００には、少なくとも１つのＣＰＵから構成されるプロセッサ２０２が含まれる。プロセッサ２０２は、互いに協調して動作する複数のＣＰＵから構成されることもある。また、ドキュメント処理装置２００には、ＢＩＯＳ機能、システム機能、システム構成データおよびドキュメント処理装置２００の動作に使用するその他のルーチンもしくはデータ等の静的または固定的なデータ、あるいはインストラクションのために有効に使用される、不揮発性または読出し専用メモリ（ＲＯＭ）２０４が含まれる。
【００１８】
また、ドキュメント処理装置２００には、ダイナミック・ランダム・アクセス・メモリ、スタティック・ランダム・アクセス・メモリ、または他の任意の適切なアドレス指定可能かつ書込み可能なメモリ・システムから構成されるＲＡＭ２０６が含まれる。ＲＡＭ２０６は、プロセッサ２０２によって処理されるアプリケーションおよびデータ処理に関係するデータ・インストラクションのための記憶領域を提供する。
【００１９】
ストレージ・インターフェイス２０８は、ドキュメント処理装置２００に関連するデータの不揮発性保存、大容量保存または長期的な保存ためのメカニズムを提供する。ストレージ・インターフェイス２０８は、参照符号２１６で示したディスク・ドライブ、あるいは光学式ドライブ、テープ・ドライブ等の適切な任意のアドレス指定可能、またはシリアル記憶装置等の大容量記憶装置の他、当業者に知られている適切な任意の記憶媒体を使用する。
【００２０】
ネットワーク・インターフェイス・サブシステム２１０は、ネットワークとの間の入出力を適切にルーティングすることによって、ドキュメント処理装置２００が他の装置と通信することを可能にする。ネットワーク・インターフェイス・サブシステム２１０は、ドキュメント処理装置２００の外部装置との１つまたは複数のコネクションを確立する。図においては、一例として、Ethernet（登録商標）およびトークン・リング等といった固定または有線ネットワークとのデータ通信のための少なくとも１つのネットワーク・インターフェイス・カード２１４と、WiFi（Wireless Fidelity）、WiMax、無線モデム、セルラ・ネットワークまたは適切な任意の無線通信システム等の手段を介した無線通信のために適切な無線インターフェイス２１８を示している。ネットワーク・インターフェイス・サブシステム２１０は、任意の物理的データ転送レイヤあるいは物理的データ転送レイヤではないデータ転送レイヤまたはプロトコル・レイヤを適切に利用する。図においては、ネットワーク・インターフェイス・カード２１４は、例えば、ローカル・エリア・ネットワーク、ワイド・エリア・ネットワークまたはこれらの組合せから適切に構成される物理的ネットワーク２２０を介したデータ交換を行うために、相互接続されている。
【００２１】
プロセッサ２０２、読出し専用メモリ（ＲＯＭ）２０４、ＲＡＭ２０６、ストレージ・インターフェイス２０８およびネットワーク・インターフェイス・サブシステム２１０の間のデータ通信は、バス２１２によって例示したバス・データ転送メカニズムを介して行われる。
【００２２】
ドキュメント処理装置２００における実行可能なインストラクションは、ワークステーション、他のドキュメント処理装置、またはサーバ等の複数の外部装置との通信を容易にする。動作の際、典型的な装置は自立的に動作するが、しばしば、ローカル・ユーザによる直接的な制御が望ましい場合もある。ローカル・ユーザによる直接的な制御は、ユーザ入出力（Ｉ／Ｏ）パネル２２４へのオプションの入出力（Ｉ／Ｏ）インターフェイス２２２を介して実行することができる。
【００２３】
また、１つまたは複数のドキュメント処理エンジンへのインターフェイスも、バス２１２を介してデータ通信を行う。図に示した実施形態においては、印刷インターフェイス２２６、コピー・インターフェイス２２８、画像走査インターフェイス２３０およびファクシミリ・インターフェイス２３２は、それぞれ、印刷エンジン２３４、コピー・エンジン２３６、画像走査エンジン（スキャナ）２３８およびファクシミリ・エンジン２４０との通信を容易にする。ドキュメント処理装置２００は、１つまたは複数のドキュメント処理機能を適切に実行する。複数のドキュメント処理動作を実行するシステムは、通常、多機能周辺装置（ＭＦＰ）または多機能装置と呼ばれる。
【００２４】
次に図３を参照しながらシステムの動作が実行されるドキュメント処理装置の機能ブロックを説明する。図３に、本発明による実施形態のシステム１００の動作が実行され、図１においてはドキュメント処理装置１０４として示した、ドキュメント処理装置３００の機能ブロックの構成例を示す。図３は、ソフトウェアおよびオペレーティング・システム機能と関連して、図２に示したハードウェアの機能性を例示している。
【００２５】
ドキュメント処理装置３００は、１つまたは複数のドキュメント処理動作を円滑に実行するドキュメント処理エンジン３０２を含む。ドキュメント処理エンジン３０２は、印刷エンジン３０４、ファクシミリ・エンジン３０６、画像走査エンジン（スキャナ）３０８およびコンソール・パネル３１０を含む。印刷エンジン３０４は、ドキュメント処理装置３００に伝達された電子ドキュメントを、物理的なドキュメント、すなわちハードコピーの出力を可能とする。ファクシミリ・エンジン３０６は、ファクシミリ・モデム等の装置を介して、外部のファクシミリ装置との間で相互にファクシミリ通信を行う。
【００２６】
画像走査エンジン（スキャナ）３０８は、ハードコピー・ドキュメントを受け取り、このハードコピー・ドキュメントに対応する画像データに変換するように機能する。コンソール・パネル３１０等のユーザ・インターフェイスは、ユーザからのインストラクションの入力と、ユーザへの情報の表示を可能にする。画像走査エンジン３０８は、有形のドキュメントの入力を、ビットマップ・フォーマット、ベクター・フォーマットまたはページ記述言語（ＰＤＬ）フォーマットの電子的な形態へ変換し、さらに、光学文字認識のためにも構成されている。また、有形のドキュメントの画像走査は、ファクシミリ動作においても有効に機能する。
【００２７】
図３に示したドキュメント処理エンジン３０２は、ドライバ３２６を介したネットワークとのインターフェイス３１６も備え、例えばネットワーク・インターフェイス・カードから構成されている。ネットワークは、有線、無線あるいは光によるデータ通信のような任意の適切な物理的レイヤおよび物理的でないレイヤによって、十分なやり取りを実現している。
【００２８】
ドキュメント処理エンジン３０２は、１つまたは複数のデバイス・ドライバ３１４と適切な通信を行う。デバイス・ドライバ３１４は、実際のドキュメント処理動作を実行するために、ドキュメント処理エンジン３０２と、１つまたは複数の物理的装置との間のデータ交換を可能とする。このようなドキュメント処理動作には、ドライバ３１８による印刷、ドライバ３２０によるファクシミリ通信、ドライバ３２２による画像走査、およびドライバ３２４によるユーザ・インターフェイス機能の中の１つまたは複数のものが含まれる。これらの多様な装置は、ドキュメント処理エンジン３０２に関連する１つまたは複数の対応するエンジンと結合されている。本発明においては、ドキュメント処理動作の任意のセットまたはサブセットが想定されている。複数の利用可能なドキュメント処理オプションを含むドキュメント処理装置は、前述したようにＭＦＰ等と呼ばれる。
【００２９】
次に、図４および図５を参照しながら、本発明による実施形態におけるシステムの動作が実行されるコントローラのハードウェアおよび機能構成等を説明する。図４に本発明による実施形態においてシステム１００の動作が実行され、図１においてはコントローラ１０８として示した、バックエンド・コンポーネントであるコントローラ４００のハードウェア・アーキテクチャの構成例を説明するための図を示す。尚、図４においては、コントローラの構成要素の意義をより明確にするため、参照符号４３２で表した、コントローラ以外のドキュメント処理装置の構成要素の一部を併せて示している。コントローラ４００は、本明細書に記載する動作を円滑に実行する能力を有する、本技術分野において知られている任意の汎用コンピューティング装置を表す。コントローラ４００には、少なくとも１つのＣＰＵを含むプロセッサ４０２が含まれる。プロセッサ４０２は、互いに協調して動作する複数のＣＰＵから構成されることもある。また、コントローラ４００には、ＢＩＯＳ機能、システム機能、システム構成データおよびコントローラ４００の動作に使用されるその他のルーチンもしくはデータ等の静的または固定的なデータ、あるいはインストラクションのために有効に使用される、不揮発性または読出し専用メモリ（ＲＯＭ）４０４が含まれる。
【００３０】
また、コントローラ４００には、ダイナミック・ランダム・アクセス・メモリ、スタティック・ランダム・アクセス・メモリ、または他の任意の適切なアドレス指定可能かつ書込み可能なメモリ・システムから構成されるＲＡＭ４０６が含まれる。ＲＡＭ４０６は、プロセッサ４０２によって処理されるアプリケーションおよびデータ処理に関係するデータ・インストラクションのための記憶領域を提供する。
【００３１】
ストレージ・インターフェイス４０８は、コントローラ４００に関連するデータの不揮発性保存、大容量保存または長期的な保存ためのメカニズムを提供する。ストレージ・インターフェイス４０８は、参照符号４１６で示したディスク・ドライブ、光学式ドライブ、あるいはテープ・ドライブ等の適切な任意のアドレス指定可能、またはシリアル記憶装置等の大量記憶装置の他、当業者に知られている適切な任意の記憶媒体を使用する。
【００３２】
ネットワーク・インターフェイス・サブシステム４１０は、ネットワークとの間の入出力を適切にルーティングすることによって、コントローラ４００が他の装置と通信することを可能にする。ネットワーク・インターフェイス・サブシステム４１０は、コントローラ４００に対する外部装置との１つまたは複数のコネクションのインターフェイスを適切にとる。図においては、例えば、Ethernet（登録商標）およびトークン・リング等の固定または有線ネットワークとのデータ通信のための少なくとも１つのネットワーク・インターフェイス・カード４１４と、WiFi、WiMax、無線モデム、セルラ・ネットワークまたは適切な任意の無線通信システム等の手段を介した無線通信のために適切な無線インターフェイス４１８とを示している。ネットワーク・インターフェイス・サブシステム４１０は、任意の物理的データ転送レイヤあるいは物理的データ転送レイヤではないデータ転送レイヤまたはプロトコル・レイヤを適切に利用する。図においては、ネットワーク・インターフェイス・カード４１４は、例えば、ローカル・エリア・ネットワーク、ワイド・エリア・ネットワークまたはこれらの組合せから適切に構成される物理的ネットワーク４２０を介したデータ交換を行うために、相互接続されている。
【００３３】
プロセッサ４０２、読出し専用メモリ（ＲＯＭ）４０４、ＲＡＭ４０６、ストレージ・インターフェイス４０８およびネットワーク・インターフェイス・サブシステム４１０の間のデータ通信は、バス４１２によって例示したバス・データ転送メカニズムを介して行われる。
【００３４】
また、ドキュメント・プロセッサ・インターフェイス４２２もバス４１２を介してデータ通信を行う。ドキュメント・プロセッサ・インターフェイス４２２は、様々なドキュメント処理動作を実行するために、ドキュメント処理ハードウェア４３２との接続を提供する。そのようなドキュメント処理動作には、コピー・ハードウェア４２４によって実行されるコピー、画像走査ハードウェア４２６によって実行される画像走査、印刷ハードウェア４２８によって実行される印刷、およびファクシミリ・ハードウェア４３０によって実行されるファクシミリ通信がある。コントローラ４００は、これらのドキュメント処理動作のいずれかまたは全部を適切に動作させる。複数のドキュメント処理動作を実行可能なシステムは、前述したように、ＭＦＰまたは多機能装置と呼ばれる。システム１００の機能は、ドキュメント処理装置と関連するインテリジェント・サブシステムとして図４に示したコントローラ４００（図１においてはコントローラ１０８として示した。）を含む、ドキュメント処理装置１０４等の適切なドキュメント処理装置において実行される。
【００３５】
次に図５を参照しながらシステムの動作が実行されるコントローラの機能ブロックと動作の概要を説明する。図５に、本発明による実施形態のシステム１００の動作が実行されるコントローラの機能ブロックの構成例を説明するための図を示す。尚、図５においても、コントローラの機能要素の意義をより明確にするため、コントローラ以外のドキュメント処理装置の機能要素の一部を併せて示している。図５は、ソフトウェアおよびオペレーティング・システム機能と関連して、図４に示したハードウェアの機能性を例示する。
【００３６】
コントローラ機能は、ドキュメント処理エンジン５０２を含む。一実施形態において、ドキュメント処理エンジン５０２は、印刷動作、コピー動作、ファクシミリ通信動作および画像走査動作を可能にする。これらの機能が１つの装置で実行できる装置は、産業界において一般に好まれているドキュメント処理周辺装置であるＭＦＰである。しかし、コントローラが上記のドキュメント処理動作のすべてを可能にする必要は必ずしもない。コントローラは、上記のドキュメント処理動作の一部を実行する専用のドキュメント処理装置、あるいはより限定した目的のドキュメント処理装置においても有効に用いられる。
【００３７】
ドキュメント処理エンジン５０２はユーザ・インターフェイス・パネル５１０と適切にインターフェイスされている。ユーザまたは管理者は、このユーザ・インターフェイス・パネル５１０を介して、ドキュメント処理エンジン５０２によって制御される機能にアクセスすることができる。アクセスは、コントローラにローカルに接続されているインターフェイスを介して行われるか、または遠隔のシン・クライアント（thin client）もしくはシック・クライアント（thick client）によって遠隔から行われる。
【００３８】
ドキュメント処理エンジン５０２は、印刷機能部５０４、ファクシミリ通信機能部５０６および画像走査機能部５０８とデータ通信を行う。これらの機能部５０４、５０６および５０８は、印刷、ファクシミリの送受信、およびドキュメント画像をコピーのために取得するか、またはドキュメント画像の電子バージョンを生成するための、ドキュメント画像走査の実際の処理動作を容易にする。
【００３９】
ジョブ・キュー（job queue）５１２は、印刷機能部５０４、ファクシミリ通信機能部５０６および画像走査機能部５０８とデータ通信を行う。ビットマップ・フォーマット、ページ記述言語（ＰＤＬ）フォーマットまたはベクター・フォーマット等の種々の画像形式は、画像走査機能部５０８からジョブ・キュー５１２を介して以降の処理のために中継される。
【００４０】
ジョブ・キュー５１２は、また、ネットワーク・サービス機能部５１４ともデータ通信を行う。一実施形態において、ジョブ制御信号、状態データまたは電子ドキュメント・データが、ジョブ・キュー５１２とネットワーク・サービス機能部５１４との間で交換される。このように、適切なインターフェイスが、クライアント側ネットワーク・サービス機能５２０を介したコントローラ機能へのネットワーク・ベースのアクセスのために設けられており、このインターフェイスは、任意の適切なシン・クライアントまたはシック・クライアントである。一実施形態において、ウェブ・サービス・アクセスは、ハイパーテキスト転送プロトコル（HTTP）、ファイル転送プロトコル（FTP）、ユニフォーム・データ・ダイアグラム・プロトコルまたは他の任意の適切な交換メカニズムによって実行される。ネットワーク・サービス機能部５１４は、また、ＦＴＰ、電子メール、あるいはテルネット（TELNET）等を介した通信のために、クライアント側ネットワーク・サービス機能５２０とのデータ交換も有効に提供する。このように、コントローラ機能は、種々のネットワーク・アクセス・メカニズムによって、電子ドキュメントおよびユーザ情報の出力あるいは受信を容易にする。
【００４１】
ジョブ・キュー５１２は、また、画像プロセッサ５１６ともデータ通信を行う。画像プロセッサ５１６は、印刷機能部５０４、ファクシミリ通信機能部５０６または画像走査機能部５０８等の装置機能部と、電子ドキュメントを交換するために適したフォーマットに変換するラスタ画像処理（ＲＩＰ）、ページ記述言語インタープリタまたは任意の適切な画像処理を行うメカニズムである。
【００４２】
さらに、ジョブ・キュー５１２は、ジョブ解析部（job parser）５１８とデータ通信を行い、このジョブ解析部５１８はクライアント装置サービス部５２２等の外部装置からの印刷ジョブ言語ファイルを受け取る働きをする。クライアント装置サービス部５２２は、電子ドキュメントの印刷、ファクシミリ通信、またはコントローラ機能による処理が有効である他の適切な電子ドキュメントの入力を含む。ジョブ解析部５１８は、受け取った電子ドキュメント・ファイルを解析し、前述した機能およびコンポーネントと関連する処理のために、解析した電子ドキュメント・ファイル情報をジョブ・キュー５１２に中継する働きをする。
【００４３】
次に、図６に本発明の一実施形態によるドキュメントを選択的に編集するシステム６００のブロック図を例示する。システム６００は、有形の入力ドキュメントの画像データを生成するスキャナ６０２と、スキャナ６０２によって生成された画像データを保存する記憶装置６０４を備える。システム６００は、また、例えば、スキャナ６０２によって生成された電子ドキュメントの画像（例えば、有形の入力ドキュメントの画像データに対応する画像）を表示するタッチスクリーン・ディスプレイ６０６を備える。システム６００は、さらに、タッチスクリーン・ディスプレイ６０６に接続され、タッチスクリーン・ディスプレイ６０６に表示された画像内で、ユーザが触れ、選択された第１の位置および第２の位置を特定し、特定した第１および第２の位置にしたがって編集対象領域を定め、編集対象領域内の画像を不明瞭化するタッチ・インターフェイス６０８を備える。タッチ・インターフェイス６０８によって不明瞭化された編集対象領域内の画像を含む画像に対応する編集された画像データは、記憶装置６０４に保存される。システム６００は、さらに、記憶装置６０４に保存された編集された画像データに対応する画像を印刷するプリンタ６１０を備える。
【００４４】
次に図７に、本発明の一実施形態によるドキュメントを選択的に編集するシステムを示す機能ブロック図の一例を示す。画像走査部７０４は、有形のドキュメント７０２を画像走査し、対応する電子画像データ７０６を生成する。生成された電子画像データ７０６等に対応する画像は、タッチスクリーン・ディスプレイ７０８に表示される。タッチスクリーン・ディスプレイ７０８は、例えば、ドキュメント処理装置１０４に関連するユーザ・インターフェイス１０６、表示装置１１６、または他の適切な表示装置に実装される。タッチスクリーン・ディスプレイ７０８に表示された画像について、ユーザによって選択された編集対象領域の第１の周辺位置に対応する第１の位置が触れられたことを示す第１の接触入力７１０が受け取られる。次に、同様に、選択された編集対象領域の第２の周辺位置に対応する第２の位置が触れられたことを示す第２の接触入力７１２が受け取られる。不明瞭化機能部７１４は、受け取られた第１の接触入力７１０および第２の接触入力７１２に基づき、編集対象領域を特定し、編集対象領域内の画像のコンテンツを隠すように、編集対象領域に対応する電子画像データの部分を不明瞭化する。電子画像データ７０６は、画像データ更新部７１６によって、不明瞭化機能部７１４によって不明瞭化された編集対象領域を含むデータに更新される。画像データ更新部７１６によって更新された画像データに対応する画像は、編集対象領域内の画像が不明瞭化されており、タッチスクリーン・ディスプレイ７０８に表示される。また、画像データ更新部７１６によって更新された画像データは、データ記憶部７１８に保存される。
【００４５】
次に、図８を参照しながら本発明の一実施形態によるドキュメントを選択的に編集する動作を説明する。図８（ａ）に、図１における入力ドキュメント１２２に対応する入力ドキュメント８００を示す。入力ドキュメント８００の電子画像は、ドキュメント処理装置１０４に関連するユーザ・インターフェイス１０６またはキオスク１１４の表示装置１１６等のタッチスクリーン上に表示される。入力ドキュメント８００は、コンテンツ８０２、８０４、８０６および８０８として示された複数のテキスト、画像、図形等を含む。尚、コンテンツ８０８は、図８（ａ）においてユーザの手８１０に隠れているが、図８（ｂ）に示されている。図８の説明においては、ユーザが、一例として、コンテンツ８０２および８０４を隠すことを所望する場合について述べる。ユーザは編集対象の１つであるコンテンツ８０４を編集するために、入力ドキュメント８００内でコンテンツ８０４の×で示した周辺位置８１２を手８１０の指で触れる。このようにして編集対象のコンテンツ８０４の第１の周辺位置８１２が選択される。
【００４６】
次いで、ユーザは図８（ｂ）に示したコンテンツ８０４の×で示した周辺位置８１４を手８１０で触れる。このようにして編集対象のコンテンツ８０４の第２の周辺位置８１４が選択される。選択された第１の周辺位置８１２と第２の周辺位置８１４を結ぶ線分を対角線とする長方形の領域が編集対象領域８１６として定められる。本発明の実施形態によれば、ユーザは、編集対象領域を定めるために、手８１０の指を、入力ドキュメント８００内で隠すことを所望するコンテンツ部分を囲む長方形領域をドラッグする。当業者は、本発明にしたがってドキュメント８００内で隠すことを所望するコンテンツ部分のタッチスクリーン・ディスプレイによる、さらに他の選択方法を実施できることを理解するであろう。また、編集対象領域は長方形の領域に限定されるわけではなく、例えば、角の部分が円弧状であってもよい。図８（ｃ）は、ユーザの手８１０の指で選択された編集対象領域８１６、および編集対象領域８１６と同様な方法によって選択された編集対象領域８１８を含むドキュメント８００を示す。選択された編集対象領域８１６および８１８内の画像は不明瞭化される。図８（ｄ）に、図１における出力ドキュメント１２４に対応し、ユーザによって選択された編集対象領域８１６および８１８内の画像が編集された出力ドキュメント８２２を示す。この実施形態では編集対象領域内の画像は削除という形態で不明確化されているが、編集対象領域を黒く塗りつぶす、あるいは無意味な画像に置き換える等の他の形態によって、編集対象領域を不明確化することもできる。
【００４７】
次に図９および図１０を参照しながら、本発明による実施形態におけるドキュメントを選択的に編集する動作を説明する。図９に、本発明による実施形態におけるドキュメントを選択的に編集する基本的な動作例を表すフローチャートを示す。先ず、Ｓ９０２で、有形のドキュメント１２２がドキュメント処理装置１０４によって画像走査され、有形のドキュメント１２２に対応する電子画像データが生成される。Ｓ９０４で、コントローラ１０８もしくはドキュメント処理装置１０４に関連する他の適切なコンポーネントが、生成された電子画像データにしたがって、ドキュメント処理装置１０４に関連するユーザ・インターフェイス１０６、表示装置１１６または他の適切なタッチスクリーン上に、有形のドキュメント１２２に対応する画像を表示する。
【００４８】
次にＳ９０６で、ユーザによって、選択された編集対象領域の第１の周辺位置に対応するタッチスクリーン１０６または１１６の第１の位置が触れられる。すなわち、ユーザによって選択された編集対象領域の第１の周辺位置に対応するタッチスクリーン１０６または１１６の第１の位置への接触入力が受け取られる。Ｓ９０８で、選択された編集対象領域の第２の周辺位置に対応するタッチスクリーン１０６または１１６の第２の位置への接触入力が、コントローラ１０８もしくはドキュメント処理装置１０４に関連する他の適切なコンポーネントによって、ユーザから受け取られる。次にＳ９１０で、コントローラ１０８は、Ｓ９０６で受け取った第１の位置への接触入力とＳ９０８で受け取った第２の位置への接触入力に基づき、編集対象領域を特定し、選択された編集対象領域内のコンテンツに対応する画像データ部分を不明瞭化する。選択された編集対象領域内のコンテンツに対応する画像データは、例えば、黒あるいは白で塗りつぶした長方形等の塗りつぶした色のブロック、または有形のドキュメント１２２の背景と一致する色分けのブロック等を重ね合わせることによって、不明瞭化することができる。Ｓ９１２で、タッチスクリーン１０６または１１６の表示は、選択された編集対象領域内のコンテンツが隠された状態に更新される。その後、Ｓ９１４で、選択された編集対象領域内の不明瞭化された画像データを含む画像データが、データ記憶装置１１０に保存される。本発明の一実施形態によれば、画像データは、コンピュータ・ネットワーク１０２を介して、ユーザ装置１２６に送られ保存される。
【００４９】
次に図１０を参照しながら、本発明による実施形態におけるドキュメントを選択的に編集する動作をさらに詳細に説明する。図１０に、本発明による実施形態におけるドキュメントを選択的に編集する動作例をさらに詳細に表したフローチャートを示す。先ず、Ｓ１００２で、有形のドキュメント１２２が、ドキュメント処理装置１０４によって画像走査され、有形のドキュメント１２２に対応する電子ドキュメント・データが生成される。有形のドキュメント１２２は、例えば、テキスト、画像、図形、写真等を含む。Ｓ１００４で、例えば、ユーザ・インターフェイス１０６またはキオスク１１４のタッチスクリーン・ディスプレイ１１６等（以下、タッチスクリーン１０６または１１６と記す）の、ドキュメント処理装置１０４に関連するタッチスクリーン上に有形のドキュメント１２２の画像が表示される。本発明の一実施形態によれば、コントローラ１０８もしくはドキュメント処理装置１０４に関連する他の適切なコンポーネントが、タッチスクリーン１０６または１１６に、画像走査された有形のドキュメント１２２のグラフィック表現を表示させる。
【００５０】
Ｓ１００６で、ユーザによって、選択された編集対象領域の第１の周辺位置に対応するタッチスクリーン１０６または１１６の第１の位置が触れられる。すなわち、ユーザによって選択された編集対象領域の第１の周辺位置に対応するタッチスクリーン１０６または１１６の第１の位置への接触入力が受け取られる。同様に、Ｓ１００８で、ユーザから、選択された編集対象領域の第２の周辺位置に対応するタッチスクリーン１０６または１１６の第２の位置への接触入力が受け取られる。図８に関する説明で前述したように、他の実施形態において、タッチスクリーン１０６または１１６上で、編集対象領域の第１の周辺位置に対応する第１の位置と、第２の周辺位置に対応する第２の位置の間のドラッグ操作に応じて、第１の位置と第２の位置とを検知することもできる。Ｓ１０１０で、タッチスクリーン１０６または１１６の第１の位置および第２の位置に受け取られた接触入力によって特定される実質的に長方形領域として、タッチスクリーン１０６または１１６上に選択された編集対象領域が形成される。次にＳ１０１２で、タッチスクリーン１０６または１１６上にＳ１０１０において形成された実質的に長方形領域の編集対象領域は、必要に応じて、ドラッグされ、ドラッグ操作に対応する接触入力にしたがって、編集対象領域が変更される。編集対象領域の変更の形態としては、例えば、編集対象領域のサイズの変更、タッチスクリーン１０６または１１６における編集対象領域の位置の変更等がある。
【００５１】
次にＳ１０１４で、選択された編集対象領域内のコンテンツに対応する画像データ部分が、コントローラ１０８もしくはドキュメント処理装置１０４に関連する他の適切なコンポーネントによって、不明瞭化される。選択された編集対象領域内のコンテンツに対応する画像データは、例えば、黒あるいは白で塗りつぶした長方形等の塗りつぶした色のブロック、または有形のドキュメント１２２の背景と一致する色分けのブロック等を重ね合わせることによって、不明瞭化することができる。次にＳ１０１６で、タッチスクリーン１０６または１１６の表示が、選択された編集対象領域内のコンテンツ、例えば、テキスト、グラフィックまたは写真等が隠された状態で、更新される。次にＳ１０１８で、編集対象領域内の不明瞭化画像データを含む画像データが、データ記憶装置１１０に保存される。次にＳ１０２０で、コントローラ１０８もしくはドキュメント処理装置１０４に関連する他の適切なコンポーネントによって、編集済みの出力ドキュメント１２４を出力するか否かが判断される。Ｓ１０２０で、編集済みの出力ドキュメント１２４を出力すると判断されると、処理はＳ１０３８に進み、不明瞭化された画像データを反映した編集済みの出力ドキュメント１２４が、ドキュメント処理装置１０４によって出力される。編集済みの出力ドキュメントの出力の形態としては、例えば、編集済みの出力ドキュメント１２４の印刷、出力ドキュメント１２４のユーザ装置１２６への伝達、または出力ドキュメント１２４の指定受信者宛へのファクシミリ送信等がある。
【００５２】
Ｓ１０２０において編集済みのドキュメントを出力しないと判断された場合には、処理はＳ１０２４に進み、ユーザから、第２の編集対象領域の第１の周辺位置に対応するタッチスクリーン１０６または１１６上の第３の位置への接触入力が受け取られる。同様に、Ｓ１０２６で、ユーザから、第２の編集対象領域の第２の周囲位置に対応するタッチスクリーン１０６または１１６上の第４の位置への接触入力が受け取られる。前述したように、他の実施形態において、タッチスクリーン１０６または１１６上で、第２の編集対象領域の第１の周辺位置に対応する第３の位置と、第２の周辺位置に対応する第４の位置の間のドラッグ操作に応じて、第３の位置と第４の位置とを検知することもできる。次にＳ１０２８で、コントローラ１０８もしくはドキュメント処理装置１０４に関連する他の適切なコンポーネントは、タッチスクリーン１０６または１１６の第３の位置および第４の位置に受け取られた接触入力によって特定される実質的に長方形領域として、第２の選択された編集対象領域を形成する。次にＳ１０３０で、タッチスクリーン１０６または１１６上にＳ１０１０において形成された実質的に長方形領域の第２の編集対象領域は、必要に応じて、ドラッグされ、ドラッグ操作に対応する接触入力にしたがって、第２の編集対象領域が変更される。編集対象領域の変更の形態としては、例えば、編集対象領域のサイズの変更、タッチスクリーン１０６または１１６における編集対象領域の位置の変更等がある。
【００５３】
次にＳ１０３２で、コントローラ１０８もしくはドキュメント処理装置１０４に関連する他の適切なコンポーネントは、第２の選択された編集対象領域内のコンテンツに対応する画像データ部分を不明瞭化する。第２の選択された編集対象領域内のコンテンツに対応する画像データは、例えば、黒あるいは白で塗りつぶした長方形等の塗りつぶした色のブロック、または有形のドキュメント１２２の背景と一致する色分けのブロック等を重ね合わせることによって、不明瞭化することができる。次にＳ１０３４で、タッチスクリーン１０６または１１６の表示が、第２の選択された編集対象領域内の画像データが隠されるように更新される。次にＳ１０３６で、コントローラ１０８もしくはドキュメント処理装置１０４に関連する他の適切なコンポーネントが、第２の編集対象領域内の不明瞭化画像データを含む画像データを追加保存する。次に処理はＳ１０２０に進み、編集済みの出力ドキュメント１２４を出力するか否かが判断される。否定的な判断が行われると、処理はＳ１０２４に戻り、さらに別の編集対象領域が前述した動作によって不明瞭化される。Ｓ１０２０で、編集済みの出力ドキュメント１２４を出力すると判断されたときには、処理はＳ１０３８に進む。Ｓ１０３８で、すべての編集済みの編集対象領域に対応する不明瞭化された画像データにしたがって、編集済みの出力ドキュメント１２４がドキュメント処理装置１０４によって出力される。前述したように、編集済みの出力ドキュメント１２４の出力の形態としては、例えば、印刷、ユーザ装置１２６への伝達、または指定受信者宛へのファクシミリ送信等がある。
【００５４】
本発明の好ましい実施形態の以上の説明は、例示と説明のために行った。説明は網羅的ではなく、本発明を開示した形態に限定しようとするものでもない。以上の開示を鑑みて明らかな修正または変形が可能である。実施形態は、本発明の原理とその実際的な応用例を最もよく示し、それにより当業者が、本発明を、意図された特定の使用に適した様々な実施形態において様々な修正で使用できるように選択され説明された。そのようなすべての修正と変形は、特許請求の範囲の記載に明示されるとおりの本発明の原理および範囲内において、当業者によって行われ得ることは明らかであり、特許請求の範囲の記載によって定められる本発明の範囲内にある。
【符号の説明】
【００５５】
１００  システム
１０２  コンピュータ・ネットワーク、分散通信システム
１０４  ドキュメント処理装置、ＭＦＰ
１０６  ユーザ・インターフェイス、タッチスクリーン
１０８  コントローラ
１１０  データ記憶装置
１１２、１２８  通信リンク
１１４  キオスク
１１６  表示装置、タッチスクリーン
１１８  ユーザ入力装置
１２０  ポータブル記憶装置の読取り装置
１２２  入力ドキュメント
１２４  出力ドキュメント
１２６  ユーザ装置
２００、３００  ドキュメント処理装置
２０２、４０２  プロセッサ
２０４、４０４  読出し専用メモリ、ＲＯＭ
２０６、４０６  ＲＡＭ
２０８、４０８  ストレージ・インターフェイス
２１０、４１０  ネットワーク・インターフェイス・サブシステム
２１２、４１２  バス
２１４、３１６、４１４  ネットワーク・インターフェイス・カード
２１６、４１６  ディスク・ドライブ
２１８、４１８  無線インターフェイス
２２０、４２０  物理的ネットワーク
２２２  オプションの入出力インターフェイス
２２４  ユーザ入出力パネル
２２６  印刷インターフェイス
２２８  コピー・インターフェイス
２３０  画像走査インターフェイス
２３２  ファクシミリ・インターフェイス
２３４、３０４  印刷エンジン
２３６  コピー・エンジン
２３８、３０８  画像走査エンジン
２４０、３０６  ファクシミリ・エンジン
３１０  コンソール・パネル
３１４  デバイス・ドライバ
３１８、３２０、３２２、３２４、３２６  ドライバ
４００  コントローラ
４２２  ドキュメント・プロセッサ・インターフェイス
４２４  コピー・ハードウェア
４２６  画像走査ハードウェア
４２８  印刷ハードウェア
４３０  ファクシミリ・ハードウェア
４３２  ドキュメント処理ハードウェア
５０２、３０２  ドキュメント処理エンジン
５０４  印刷機能部
５０６  ファクシミリ通信機能部
５０８  画像走査機能部
５１０  ユーザ・インターフェイス・パネル
５１２  ジョブ・キュー
５１４  ネットワーク・サービス機能部
５１６  画像プロセッサ
５１８  ジョブ解析部
５２０  クライアント側ネットワーク・サービス機能
５２２  クライアント装置サービス部
６００  システム
６０２  スキャナ
６０４  記憶装置
６０６  タッチスクリーン・ディスプレイ
６０８  タッチ・インターフェイス
６１０  プリンタ
７０２  有形のドキュメント
７０４  画像走査部
７０６  電子画像データ
７０８  タッチスクリーン・ディスプレイ
７１０、７１２  接触入力
７１４  不明瞭化機能部
７１６  画像データ更新部
７１８  データ記憶部
８００  入力ドキュメント
８０２、８０４、８０６、８０８  コンテンツ
８１０  ユーザの手
８１２、８１４  コンテンツ８０４の周辺位置
８１６、８１８  編集対象領域
８２２  出力ドキュメント
【図１】
2010040048.tif 000003
【図２】
2010040048.tif 000004
【図３】
2010040048.tif 000005
【図４】
2010040048.tif 000006
【図５】
2010040048.tif 000007
【図６】
2010040048.tif 000008
【図７】
2010040048.tif 000009
【図８】
2010040048.tif 000010
【図９】
2010040048.tif 000011
【図１０】
2010040048.tif 000012